(57)【要約】【課題】  ハニカム式エアフィルタ及びその製造方法の提供。【解決手段】  空気濾過用のハニカム式エアフィルタは、少なくとも一種類の化学物質、例えば抗菌或いは抑菌の化学物質を吸着可能で、機能性フィルタとして使用され、複数の濾材、例えば不織布濾材、活性炭濾材と併せて使用可能で、多種類の濾過の効果を達成する。本発明のハニカム式エアフィルタは複数の濾材が組み合わされて使用される、その圧損が影響を受けず、ゆえに濾過が必要な空気量が減少せず、濾過装置の性能に影響を与えることがない。【選択図】        図２
2005199266.tif 000002
【特許請求の範囲】
【請求項１】
ハニカム式エアフィルタの製造方法において、
ａ．第１紙材上の所定の位置に接着剤を離間配置する。
ｂ．第２紙材上の所定の位置に接着剤を離間配置する。
以上のステップを具え、そのうち、第１紙材上の接着剤と第２紙材上の接着剤の設置位置は相互に離間するものとされ、ａとｂのステップを重複して行うことで、ハニカム式紙製エアフィルタを形成することを特徴とする、ハニカム式エアフィルタの製造方法。
【請求項２】
請求項１記載のハニカム式エアフィルタの製造方法において、接着剤の配置形状が方形とされて、該ハニカム式エアフィルタが六角形ハニカム式エアフィルタとされたことを特徴とする、ハニカム式エアフィルタの製造方法。
【請求項３】
請求項１記載のハニカム式エアフィルタの製造方法において、接着剤の配置形状が円形とされて、該ハニカム式エアフィルタが円形ハニカム式エアフィルタとされたことを特徴とする、ハニカム式エアフィルタの製造方法。
【請求項４】
請求項１記載のハニカム式エアフィルタの製造方法において、第１紙材と第２紙材に予め含浸或いはシャワー方式で化学物質が付着させられることで、ハニカム式エアフィルタに化学物質が付着させられて濾過に供されることを特徴とする、ハニカム式エアフィルタの製造方法。
【請求項５】
請求項１記載のハニカム式エアフィルタの製造方法において、第１紙材と第２紙材に予め含浸及びシャワー方式で化学物質が付着させられることで、ハニカム式エアフィルタに化学物質が付着させられて濾過に供されることを特徴とする、ハニカム式エアフィルタの製造方法。
【請求項６】
請求項１記載のハニカム式エアフィルタの製造方法において、ハニカム式紙製エアフィルタに、含浸或いはシャワー方式で化学物質が付着させられることで、ハニカム式エアフィルタに化学物質が付着させられて濾過に供されることを特徴とする、ハニカム式エアフィルタの製造方法。
【請求項７】
請求項１記載のハニカム式エアフィルタの製造方法において、ハニカム式紙製エアフィルタに、含浸及びシャワー方式で化学物質が付着させられることで、ハニカム式エアフィルタに化学物質が付着させられて濾過に供されることを特徴とする、ハニカム式エアフィルタの製造方法。
【請求項８】
ハニカム式エアフィルタにおいて、ハニカム式紙製フィルタを具え、該ハニカム式紙製フィルタに化学物質が付着させられて濾過に供されることを特徴とする、ハニカム式エアフィルタ。
【請求項９】
請求項８記載のハニカム式エアフィルタにおいて、化学物質が抗菌或いは抑菌物質とされたことを特徴とする、ハニカム式エアフィルタ。
【請求項１０】
請求項９記載のハニカム式エアフィルタにおいて、抑菌物質が活性炭とされたことを特徴とする、ハニカム式エアフィルタ。
【請求項１１】
請求項９記載のハニカム式エアフィルタにおいて、抑菌物質が光触媒とされたことを特徴とする、ハニカム式エアフィルタ。
【請求項１２】
請求項９記載のハニカム式エアフィルタにおいて、抑菌物質がキトサン或いはその誘導体とされたことを特徴とする、ハニカム式エアフィルタ。
【請求項１３】
請求項８記載のハニカム式エアフィルタにおいて、ハニカム式紙製フィルタの一側に不織布濾材が配置されたことを特徴とする、ハニカム式エアフィルタ。
【請求項１４】
請求項８記載のハニカム式エアフィルタにおいて、ハニカム式紙製フィルタの一側に活性炭濾材が配置されたことを特徴とする、ハニカム式エアフィルタ。
【請求項１５】
請求項８記載のハニカム式エアフィルタにおいて、ハニカム式紙製フィルタの一側に抗菌濾材が配置されたことを特徴とする、ハニカム式エアフィルタ。
【請求項１６】
請求項８記載のハニカム式エアフィルタにおいて、ハニカム式紙製フィルタの一側に抑菌濾材が配置されたことを特徴とする、ハニカム式エアフィルタ。
【請求項１７】
請求項８記載のハニカム式エアフィルタにおいて、ハニカム式紙製フィルタが不織布層で被包されたことを特徴とする、ハニカム式エアフィルタ。
【請求項１８】
ハニカム式エアフィルタにおいて、化学物質が吸着されたハニカム式フィルタを具え、該化学物質により濾過に供されることを特徴とする、ハニカム式エアフィルタ。
【請求項１９】
請求項１８記載のハニカム式エアフィルタにおいて、化学物質が抗菌或いは抑菌物質とされたことを特徴とする、ハニカム式エアフィルタ。
【請求項２０】
請求項１９記載のハニカム式エアフィルタにおいて、抑菌物質が活性炭とされたことを特徴とする、ハニカム式エアフィルタ。
【請求項２１】
請求項１９記載のハニカム式エアフィルタにおいて、抑菌物質が光触媒とされたことを特徴とする、ハニカム式エアフィルタ。
【請求項２２】
請求項１９記載のハニカム式エアフィルタにおいて、抑菌物質がキトサン或いはその誘導体とされたことを特徴とする、ハニカム式エアフィルタ。
【請求項２３】
請求項１８記載のハニカム式エアフィルタにおいて、ハニカム式紙製フィルタの一側に不織布濾材が配置されたことを特徴とする、ハニカム式エアフィルタ。
【請求項２４】
請求項１８記載のハニカム式エアフィルタにおいて、ハニカム式紙製フィルタの一側に活性炭濾材が配置されたことを特徴とする、ハニカム式エアフィルタ。
【請求項２５】
請求項１８記載のハニカム式エアフィルタにおいて、ハニカム式紙製フィルタの一側に抗菌濾材が配置されたことを特徴とする、ハニカム式エアフィルタ。
【請求項２６】
請求項１８記載のハニカム式エアフィルタにおいて、ハニカム式紙製フィルタの一側に抑菌濾材が配置されたことを特徴とする、ハニカム式エアフィルタ。
【請求項２７】
請求項１８記載のハニカム式エアフィルタにおいて、ハニカム式紙製フィルタが不織布層で被包されたことを特徴とする、ハニカム式エアフィルタ。
【発明の詳細な説明】
【技術分野】
【０００１】
本発明は一種のハニカム式エアフィルタ及びその製造方法に係り、特に、ハニカム式フィルタに吸着させた化学物質を利用し、濾過の目的を達成するエアフィルタの構造及びその製造方法に関する。
【背景技術】
【０００２】
いわゆる空気汚染物は、気体或いは浮遊粒子であり、空気中の濃度が高くなると、人や動物、植物の健康、或いは建築物、芸術品、日常用品の構造に危害を及ぼす。空気汚染物は、一酸化炭素、二酸化イオウ、揮発性有機化合物、窒素酸化物、臭化酸素及び浮遊粒子を包含する。一酸化炭素（ＣＯ）は燃焼不完全により発生する無色、無臭の気体である。一酸化炭素はヘモグロビンとの親和力が酸素より大きく、このため人体及び動物の赤血球の酸素運搬の機能を妨害し、頭痛、目眩、衰弱、さらには死亡を引き起こす。二酸化イオウは刺激臭を有する無色の気体であり、イオウ含有の化石燃料（石炭、石油等）の燃焼により発生する。二酸化イオウは水に溶けて酸性を示し、大量に肺中に吸入すると、気管支ぜんそく、気管支炎、肺気腫をもたらし、さらに植物にも傷害を与える。二酸化イオウは湿った空気中或いは雲中で酸化されて硫酸を形成し、浮遊粒子の含有量を増すのみならず、酸性雨を形成する主要な物質となる。揮発性有機化合物（メタン、ベンゼン、ホルムアルデヒド）は、工業活動及びオートバイや自動車の注油過程で大気中に漏洩し、ガンを引き起こすものもあり（例えばベンゾン）、その他は窒素酸化物と光化学反応を起こし、二次汚染物を形成する。窒素酸化物はＮＯ（無色無味）とＮＯ2 （赤褐色、刺激味を有する）を包含し、燃焼過程中の空気中の窒素と酸素が高熱下で結合することで発生する。人類の形成する高熱過程は、火力発電所及び自動車及びオートバイ及び飛行機のエンジン中で発生する。自然界では稲妻と雷の引き起こす森林火災中にこのような高い温度が発生する。二酸化イオウ類と類似し、窒素酸化物も酸化されて硝酸を形成し、更に浮遊粒子と酸性雨の問題を悪化させる。
【０００３】
室内空気汚染のソースは多方面である。更に中央空気調和システムは節電のため、密閉式室内循環空気調和方式を採用し、これが室内空気の悪化を更に厳重としている。１９８２年に世界衛生組織は建築物内の空気汚染が人体に引き起こす非特異症状を認定した。それは、目眩、頭痛、倦怠感、集中力欠如等の神経毒性症状と、眼、鼻、喉に感じる刺激等、味覚症状、及びぜんそく発作に類似の症状等の粘膜刺激症状を包含し、いずれもシックハウス症候群と称される。その可能な原因としては以下がある。
１．微生物：過敏性呼吸道症状を発生しうる。高温、水、空気、灰塵存在下では微生物が大量に繁殖可能で、退役軍人症、黴菌毒素及び灰塵はいずれも病原及びアレルギー源となりうる。
２．揮発性有機物質（ｖｏｌａｔｉｌｅ  ｏｒｇａｎｉｃ  ｃｏｍｐｏｕｎｄｓ；ＶＯＣ）：建材、ワニス、ワックスなどに由来する。シックハウス症候群をもたらす主要な原因の一つとされる。そのうち、ホルマリンは建材中よりゆっくりと放出され、ガン発生に影響するかが人々の注意を集めており、実証が待たれるところである。揮発性有機物質は極めて低濃度で存在し、人体の不適症状を引き起こす。レーザープリンター及びコピー機はいずれもＶＯＣを排出し、室内の空気を汚染する主要なものは、キシレン（ｘｙｌｅｎｅ）とエチルベンゼン（ｅｔｈｙｌｂｅｎｚｅｎｅ）である。
３．環境煙草煙霧（ｅｎｖｉｒｏｎｍｅｎｔａｌ  Ｔｏｂａｃｏ  ｓｍｏｋｅ；ＥＴＳ；二次煙）：流行病学調査によると、肺ガン、心臓病、ぜんそく、慢性阻塞性肺疾患などの多くの慢性病が環境煙草煙霧に起因することが分かった。煙草の煙霧は一般の通風設備により除去でき、現在、二次煙危害は親子及び配偶者間でのみ実証されている。オフィス或いは建築物内の低濃度の二次煙が有害であるかは未だ論争中である。
４．石綿（Ａｓｂｅｔｏｓ）：石綿繊維は既知の肺ガン原因物質であるが、台湾では石綿瓦、石綿建材は依然として広く使用され且つ規制されておらず、石綿建材が破損すると、石綿繊維が空気中に浮遊するため、できるだけ使用を避けるのがよい。
５．室内燃焼物及び油煙：多くの発展途上国及び地域では、室内で木材、石炭、石油等が燃やしたり、灯油式暖炉が使用されたりする。事実上、これらの物質を燃焼させると、窒素及びイオウの酸化物、一酸化炭素のほか、ガンを引き起こしうる多環炭化水素化合物（ＰＡＨ；ｐｏｌｙ−ｃｙｃｌｉｃ  ａｒｏｍａｔｉｃ  ｈｙｄｒｏｃａｒｂｏｎ）及びその他の有害物質が発生し、往々にしてこれらの物質濃度が工業基準を超過することがあり、引き起こされる健康傷害は記録しにくい。特に、鼻咽ガン、慢性肺部疾患、新生児低体重症の発生はこれと密接な関係がある。一般家庭で魚肉を調理する際に発生する油煙も、発ガン性のある多量の多環炭化水素化合物を含有し、通風設備により十分に排除して健康を維持する必要がある。
６．放射性ラドン（Ｒａｄｏｎ）：台湾の北投温泉エリア、花崗岩建材建築物、金門地区の花崗岩地形エリアには放射性ラドンが存在しうる。これらのエリアの建築物は通風問題に非常に注意する必要がある。なぜならラドンは肺ガンを引き起こす発ガン物質の一つであるためである。ラドンの濃度は４ｐｃｕ／Ｌ以下に維持されるのが安全であり、特に地下室では通風不良とならないように特に留意する必要がある。
【０００４】
図１は周知の技術の濾過装置の濾過の構造表示図である。図示されるように、周知の濾過装置１’は、プラスチック格子板１００’が濾過装置１’内に設置されるか、或いは不織物濾材４００’、キトサン濾材３００’、或いは光触媒濾材２００’が加えられ、プラスチック格子板１００’自身は殺菌或いは抑菌或いは除塵或いは除臭の機能を具備せず、ゆえに一般にはプラスチック格子板１００’の外側に機能性濾材が取付られる。しかし、機能性濾材の層数が多過ぎると該濾過装置１’の圧力降下が大幅に増加し、その濾過の性能に影響を与え、且つ一般に濾材は直接プラスチック格子板１００’に置き換えられるか或いは単独使用不能で、いずれもプラスチック格子板１００’と併せて使用され、該プラスチック格子板１００’には濾過機能はない。
【発明の開示】
【発明が解決しようとする課題】
【０００５】
このため、いかに周知のプラスチック格子板の抗菌或いは抑菌の化学物質を吸着不能である欠点を改善し、また伝統的なプラスチック格子板が濾過時に発生する圧損を減少する機能を具備させるかが、長く使用者及び本発明者の解決すべき課題であった。
【０００６】
本発明の主要な目的は、一種のハニカム式エアフィルタ及びその製造方法を提供することにあり、それは、ハニカム式エアフィルタを使用して濾過の効果を達成し、該ハニカム式エアフィルタに化学物質を吸着させて、該ハニカム式エアフィルタに機能性の濾過効果、例えば殺菌或いは抑菌の効果を具備させたハニカム式エアフィルタ及びその製造方法であるものとする。
【０００７】
本発明の次の目的は、一種のハニカム式エアフィルタ及びその製造方法を提供することにあり、それは、ハニカム式エアフィルタを使用して濾過の効果を達成し、該ハニカム式エアフィルタに更に抗菌、抑菌濾材或いは不織物濾材のいずれか或いは多層濾材を組合せて、異なる性能或いは目的の使用を達成する、ハニカム式エアフィルタ及びその製造方法であるものとする。
【０００８】
上述の目的を達成するため、本発明は一種のハニカム式エアフィルタ及びその製造方法を提供し、それは、ハニカム式エアフィルタを空気濾過に用いたものであり、該ハニカム式エアフィルタは少なくとも一つの化学物質を吸着して機能性濾材として使用され、該化学物質は、抗菌或いは抑菌の化学物質とされ、更に該ハニカム式エアフィルタに複数の濾材を組み合わせて使用可能とされ、例えば、不織物濾材、活性炭濾材等が組み合わされて多種の濾過効果を達成する。しかし、本発明のハニカム式エアフィルタの設計は、複数の濾材が組み合わされて使用されても、その圧損が影響を受けず、ゆえに濾過が必要な空気量を減らすことがなく、濾過装置の性能に影響を与えない。
【課題を解決するための手段】
【０００９】
請求項１の発明は、ハニカム式エアフィルタの製造方法において、
ａ．第１紙材上の所定の位置に接着剤を離間配置する。
ｂ．第２紙材上の所定の位置に接着剤を離間配置する。
以上のステップを具え、そのうち、第１紙材上の接着剤と第２紙材上の接着剤の設置位置は相互に離間するものとされ、ａとｂのステップを重複して行うことで、ハニカム式紙製エアフィルタを形成することを特徴とする、ハニカム式エアフィルタの製造方法としている。
請求項２の発明は、請求項１記載のハニカム式エアフィルタの製造方法において、接着剤の配置形状が方形とされて、該ハニカム式エアフィルタが六角形ハニカム式エアフィルタとされたことを特徴とする、ハニカム式エアフィルタの製造方法としている。
請求項３の発明は、請求項１記載のハニカム式エアフィルタの製造方法において、接着剤の配置形状が円形とされて、該ハニカム式エアフィルタが円形ハニカム式エアフィルタとされたことを特徴とする、ハニカム式エアフィルタの製造方法としている。
請求項４の発明は、請求項１記載のハニカム式エアフィルタの製造方法において、第１紙材と第２紙材に予め含浸或いはシャワー方式で化学物質が付着させられることで、ハニカム式エアフィルタに化学物質が付着させられて濾過に供されることを特徴とする、ハニカム式エアフィルタの製造方法としている。
請求項５の発明は、請求項１記載のハニカム式エアフィルタの製造方法において、第１紙材と第２紙材に予め含浸及びシャワー方式で化学物質が付着させられることで、ハニカム式エアフィルタに化学物質が付着させられて濾過に供されることを特徴とする、ハニカム式エアフィルタの製造方法としている。
請求項６の発明は、請求項１記載のハニカム式エアフィルタの製造方法において、ハニカム式紙製エアフィルタに、含浸或いはシャワー方式で化学物質が付着させられることで、ハニカム式エアフィルタに化学物質が付着させられて濾過に供されることを特徴とする、ハニカム式エアフィルタの製造方法としている。
請求項７の発明は、請求項１記載のハニカム式エアフィルタの製造方法において、ハニカム式紙製エアフィルタに、含浸及びシャワー方式で化学物質が付着させられることで、ハニカム式エアフィルタに化学物質が付着させられて濾過に供されることを特徴とする、ハニカム式エアフィルタの製造方法としている。
請求項８の発明は、ハニカム式エアフィルタにおいて、ハニカム式紙製フィルタを具え、該ハニカム式紙製フィルタに化学物質が付着させられて濾過に供されることを特徴とする、ハニカム式エアフィルタとしている。
請求項９の発明は、請求項８記載のハニカム式エアフィルタにおいて、化学物質が抗菌或いは抑菌物質とされたことを特徴とする、ハニカム式エアフィルタとしている。
請求項１０の発明は、請求項９記載のハニカム式エアフィルタにおいて、抑菌物質が活性炭とされたことを特徴とする、ハニカム式エアフィルタとしている。
請求項１１の発明は、請求項９記載のハニカム式エアフィルタにおいて、抑菌物質が光触媒とされたことを特徴とする、ハニカム式エアフィルタとしている。
請求項１２の発明は、請求項９記載のハニカム式エアフィルタにおいて、抑菌物質がキトサン或いはその誘導体とされたことを特徴とする、ハニカム式エアフィルタとしている。
請求項１３の発明は、請求項８記載のハニカム式エアフィルタにおいて、ハニカム式紙製フィルタの一側に不織布濾材が配置されたことを特徴とする、ハニカム式エアフィルタとしている。
請求項１４の発明は、請求項８記載のハニカム式エアフィルタにおいて、ハニカム式紙製フィルタの一側に活性炭濾材が配置されたことを特徴とする、ハニカム式エアフィルタとしている。
請求項１５の発明は、請求項８記載のハニカム式エアフィルタにおいて、ハニカム式紙製フィルタの一側に抗菌濾材が配置されたことを特徴とする、ハニカム式エアフィルタとしている。
請求項１６の発明は、請求項８記載のハニカム式エアフィルタにおいて、ハニカム式紙製フィルタの一側に抑菌濾材が配置されたことを特徴とする、ハニカム式エアフィルタとしている。
請求項１７の発明は、請求項８記載のハニカム式エアフィルタにおいて、ハニカム式紙製フィルタが不織布層で被包されたことを特徴とする、ハニカム式エアフィルタとしている。
請求項１８の発明は、ハニカム式エアフィルタにおいて、化学物質が吸着されたハニカム式フィルタを具え、該化学物質により濾過に供されることを特徴とする、ハニカム式エアフィルタとしている。
請求項１９の発明は、請求項１８記載のハニカム式エアフィルタにおいて、化学物質が抗菌或いは抑菌物質とされたことを特徴とする、ハニカム式エアフィルタとしている。
請求項２０の発明は、請求項１９記載のハニカム式エアフィルタにおいて、抑菌物質が活性炭とされたことを特徴とする、ハニカム式エアフィルタとしている。
請求項２１の発明は、請求項１９記載のハニカム式エアフィルタにおいて、抑菌物質が光触媒とされたことを特徴とする、ハニカム式エアフィルタとしている。
請求項２２の発明は、請求項１９記載のハニカム式エアフィルタにおいて、抑菌物質がキトサン或いはその誘導体とされたことを特徴とする、ハニカム式エアフィルタとしている。
請求項２３の発明は、請求項１８記載のハニカム式エアフィルタにおいて、ハニカム式紙製フィルタの一側に不織布濾材が配置されたことを特徴とする、ハニカム式エアフィルタとしている。
請求項２４の発明は、請求項１８記載のハニカム式エアフィルタにおいて、ハニカム式紙製フィルタの一側に活性炭濾材が配置されたことを特徴とする、ハニカム式エアフィルタとしている。
請求項２５の発明は、請求項１８記載のハニカム式エアフィルタにおいて、ハニカム式紙製フィルタの一側に抗菌濾材が配置されたことを特徴とする、ハニカム式エアフィルタとしている。
請求項２６の発明は、請求項１８記載のハニカム式エアフィルタにおいて、ハニカム式紙製フィルタの一側に抑菌濾材が配置されたことを特徴とする、ハニカム式エアフィルタとしている。
請求項２７の発明は、請求項１８記載のハニカム式エアフィルタにおいて、ハニカム式紙製フィルタが不織布層で被包されたことを特徴とする、ハニカム式エアフィルタとしている。
【発明の効果】
【００１０】
周知の技術はいずれもプラスチック格子板を取り付けてプラスチック格子板に少なくとも一層の濾材、例えば光触媒濾材、活性炭濾材、キトサン濾材等を接合した構造であり、プラスチック格子板自身は化学物質を吸着不能で抗菌或いは抑菌効果を具備しないため、機能性濾材を増設しなければ特殊な濾過機能を具備できないが、増加した濾材により濾過装置の圧損に影響が生じ、濾過する空気量がそのために減り、更に濾過装置の濾過性能に影響を与える問題を有していた。本発明はこの問題を解決するため、一種のハニカム式エアフィルタを従来のプラスチック格子板の代わりに提供する。このハニカム式エアフィルタは自身が少なくとも一種類の化学物質を吸着し、ゆえにシャワー或いは含浸の方式で、自身が機能性濾過の特性、例えば、抗菌、抑菌の特性を具備するものとされ、更に複数の濾材と組み合わされて使用されることで、多種類の機能の濾過効果を達成し、ハニカム式の特殊構造により、濾過装置の圧損を減らし、ゆえに周知の技術のようにその濾過性能に影響を与えることがない。
【発明を実施するための最良の形態】
【００１１】
図２及び図３は本発明の好ましい実施例のハニカム式エアフィルタの製造フローチャート及び製造表示図である。図示されるように、本発明のハニカム式エアフィルタの製造方法は以下のステップを具えている。
ステップＳ１０：第１紙材上の所定の位置に接着剤を離間配置する。
ステップＳ２０：第２紙材上の所定の位置に接着剤を離間配置する。
【００１２】
そのうち、第１紙材１０上の接着剤１２と第２紙材２０上の接着剤２２の設置位置は相互に離間するものとされ、該ステップＳ１０とステップＳ２０を重複して行うことで、ハニカム式紙製エアフィルタ１００が形成され、且つ該接着剤１２、２２のスポット配置形状が方形であると、該ハニカム式エアフィルタは六角形ハニカム式エアフィルタとされ、接着剤１２、２２のスポット配置形状が円形であると、該ハニカム式エアフィルタは円形ハニカム式エアフィルタとされ、該ハニカム式エアフィルタは吸着材、例えば紙類とされ、その特性を利用して少なくとも一種類の化学物質を吸着して機能性濾材の特性、例えば抗菌或いは抑菌の特性を具備するものとされる。
【００１３】
図４は本発明の別の実施例のハニカム式エアフィルタの構造表示図である。図示されるように、本発明のハニカム式エアフィルタは、ハニカム式エアフィルタ１００を具え、該ハニカム式エアフィルタ１００が少なくとも一種類の化学物質を吸着可能で、濾過に供される。該ハニカム式エアフィルタ１００は吸着材とされ、例えば紙製とされ、ゆえに加工前に含浸或いはシャワーの方式で化学物質が吸着させられるか、或いは加工成形後に該化学物質が含浸或いはシャワーの方式で吸着させられる。もし多重濾過の機能を具備させる必要がある時は、加工前或いは加工後に、含浸の方式で第１化学物質を吸着させる。本発明のハニカム式エアフィルタは表面に吸着の効果を具備するのみならず、内部の空洞部分も吸着の効果を具備するものとされ、このため、更に第２化学物質或いは第３化学物質を異なる表面にシャワーし、ハニカム式エアフィルタ１００に多種類の濾過機能を具備させる。周知の技術のプラスチック格子板はこのような応用は根本的にできず、本発明はこの特性を利用し、ハニカム式エアフィルタ１００を周知のプラスチック格子板の代わりに利用することができる。
【００１４】
図５から図７は本発明の好ましい実施例の実施表示図である。図示されるように、本発明はその他の機能性濾材、例えば不織物濾材２００、活性炭濾材３００、抗菌濾材４００、或いは抑菌濾材５００、例えばナノ銀抑菌濾材と組み合わせて使用可能であり、更に不織布層６００で該ハニカム式エアフィルタ及びそれに組み合わされた機能性濾材を被包可能である。ただし、その圧損は増すことがない。これはＴＳＩ８１３０試験を示した以下の表に示されるとおりである。
【００１５】
【表１】
2005199266.tif 000003
【００１６】
濾過効果の試験方法はＪＩＳ  Ｌ１９０２−１９９８２定量法を使用し、結果は以下のとおりである。
【００１７】
【表２】
2005199266.tif 000004
【００１８】
註：１．植菌濃度は１．０±０．３Ｅ＋５（菌数／ミリリットル）内であれば実験が有効であることを表示する。
２．Ｍａ＝未加工サンプル０時間後の菌数；Ｍｂ＝未加工サンプル１８〜２４時間後の菌数；Ｍｃ＝加工サンプル１８〜２４時間後の菌数。
３．細菌成長活性値＝ｌｏｇ（Ｍｂ／Ｍａ）。
４．抑菌値＝（Ｍｂ／Ｍａ）；殺菌値＝ｌｏｇ（Ｍａ／Ｍｃ）。
５．日本繊維製品新機能評価協議会（ＪＡＦＥＴ）の抗菌基準によると、殺菌値＞２．２は試験サンプルに抑菌効果があることを示し、殺菌値＞０は試験サンプルに殺菌効果があることを示す。
６．２．０Ｅ＋２は２００を表示し、１．３Ｅ＋４は１３０００を表示し、これにより類推する。
７．使用ランプはＦＬ２０Ｗ  ＢＬＢ１であり、ランプからサンプルまでの距離は７０ｃｍであり、照射時間は全工程照射である。
【００１９】
総合すると、本発明は新規性、進歩性及び産業上の利用価値を有し、特許の要件に符合する。なお、以上の実施例は本発明の実施範囲を限定するものではなく、本発明に基づきなしうる細部の修飾或いは改変は、いずれも本発明の請求範囲に属するものとする。
【図面の簡単な説明】
【００２０】
【図１】本発明の濾過装置の濾過の構造表示図である。
【図２】本発明の好ましい実施例のハニカム式エアフィルタの製造フローチャートである。
【図３】本発明の好ましい実施例のハニカム式エアフィルタの製造表示図である。
【図４】本発明の好ましい実施例のハニカム式エアフィルタの構造表示図である。
【図５】本発明の好ましい実施例の実施表示図である。
【図６】本発明の好ましい実施例の実施表示図である。
【図７】本発明の好ましい実施例の実施表示図である。
【符号の説明】
【００２１】
１’  濾過装置
１００’  プラスチック格子板
２００’  光触媒濾材
３００’  キトサン濾材
４００’  不織物濾材
１０  第１紙材
１２  接着剤
２０  第２紙材
２２  接着剤
１００  ハニカム式エアフィルタ
２００  不織布濾材
３００  活性炭濾材
４００  抗菌濾材
５００  抑菌濾材
６００  不織布層
【図１】
2005199266.tif 000005
【図２】
2005199266.tif 000006
【図３】
2005199266.tif 000007
【図４】
2005199266.tif 000008
【図５】
2005199266.tif 000009
【図６】
2005199266.tif 000010
【図７】
2005199266.tif 000011